(57)【要約】      （修正有）【課題】ベタベタ汚れなど簡単な水拭きだけでは落ち難い汚れを、熱湯を吹きかけて清掃するため、保温した熱湯を思い通りの場所に的中してかけることが出来る様にした熱湯保温スプレー容器を提供する。【解決手段】熱湯保温スプレー容器は、お湯を入れる容器本体Ａとこの容器本体Ａのお湯をポンプ装置Ｃを介して吸引する吸引用パイプＢとこのパイプＢから送出されるお湯を噴射するノズルＤを備える。さらに、熱湯保温スプレー本体は魔法瓶の様に二重構造になっており、内層と外層との間の空間が真空になっている。【選択図】図１
0003177847.tif 000002
【実用新案登録請求の範囲】
【請求項１】
液体を入れる魔法瓶本体（二重構造になっており、内層と外層との間の空間が真空になっている）と、この本体内の液体ポンプ装置を介して吸引する吸引用パイプとこのパイプから送出される液体を噴射するノズルを備えたスプレー容器、魔法瓶に装着した熱湯スプレーである。
【請求項２】
前記吸引用パイプを挿通する挿通孔を有し魔法瓶本体の開口部に着脱自在に嵌入する断熱性のパッキンを設けた請求項１記載の熱湯スプレー
【請求項３】
前記容器本体はステンレス又は硝子で形成された請求項１又は２に記載の保温用スプレー容器
【考案の詳細な説明】
【考案の概要】
毎日主婦の手をわずらわすお掃除。特にキッチンや床、冷蔵庫等のベタベタ汚れは、水で拭いても中々とれず、仕方なく市販の洗剤を使用したり、またゴム手袋をはめて熱いお湯でふきんを絞り汚れを落としたり、時間や手間、お金のかかる大変な作業でした。
よく通販番組で見かける熱湯が出るスチームクリーナ噴射機は大掃除など年に１〜２度の利用にはとても良いと思いますが日々の使用を考えると、コンセントに差しこんだり、またコンセントがあるので移動も限界があり、使用が少し面倒です。
そこで、主婦にとっては、毎日かかせないこの作業を何とか簡単にしようと考案致しました。
まずは、試しに普通の市販スプレーに熱湯を入れてみました。すると熱いのでスプレーの形が変形してしまいました。なので熱湯を入れても容器が変形せず、その上保温が可能なスプレー〔魔法瓶（二重構造になっており内層と外層との間の空間が真空になっている）＋スプレー〕を製造すればきっと家事が相当ラクになり、また洗剤を使用しないので安心で経済的なエコ商品になると思いました。
この商品はコンセントが必要ないので車中等、どこにでも持ち運べて便利です。
冷蔵庫の中外は勿論の事、電子レンジの中、壁、トイレ、醤油入れ、炊飯器の拭き掃除や除菌にと洗剤も電源もいらずのエコ製品です。
小さなお子様のいるご家庭ではチョコレートや飴、ジュースなど子供の食べこぼしなど多く、すぐベタベタしたり、固まってしまいますが、その様な場合でもテーブルや床の拭き掃除にも重宝します。
又家庭内にとどまらずお好み焼き店やラーメン屋、中華料理店などベタツキの汚れが多いと思いますが、調理場、お客様のテーブルと多方面で手軽に便利に使用できると思います。
またスプレータイプの為、思った場所に的中出来る良さもあります。
冷蔵庫の細かい部分に噴射など出来てとても便利です。
【考案が解決しようとする課題】
【０００１】家庭の掃除、特にベタベタ汚れなど簡単な水拭きだけでは落ちなかった汚れが、熱いお湯でなら簡単にさっぱり取れる事が多い、しかし熱いお湯を汚れた場所にかけようとコップ等にお湯を入れて汚れの部分にかけようとしても、その場所に的中させるのが難しかった。又やけどしないよう、手にかからないようにするのは困難でした。
しかし今回考案した万能熱湯スプレーでは、思い通りの場所に的中して熱湯がかけられるので家事が数段にラクになります。
簡単な除菌にもなります。
魔法瓶を利用したスプレーの為、保温が可能なので車内やキャンプ、野外など移動して使用できる。
また通販でのスチームクリーナ噴射機と違い電源もなく手軽に使用できる。【０００２】本考案は上述の目的を達成すべく考案されたもので、スプレー容器を搭載した魔法瓶で保温が可能になる熱湯スプレー容器の提供を目的とする
【課題を解決するための手段】
【０００３】上述の目的を達成すべく本考案の第１の手段はお湯を入れる魔法瓶本体Ａとこの魔法瓶本体Ａのお湯をポンプ装置Ｃを介して吸引する吸引用パイプＢとこのパイプＢから送出されるお湯を噴射するノズルＤを備えた魔法瓶スプレーである。万能熱湯保温スプレー本体は魔法瓶の様に二重構造になっており、内層と外層との間の空間が真空になっている。【０００４】また第２の手段は前記吸引用パイプをＢに挿通する挿通孔Ｅ１を有し容器本体Ａの開口部Ｅに着脱自在に嵌入する断熱性のパッキンＥを設けたことにある。【０００５】更に第３の手段の容器本体Ａの材質はステンレス又は硝子で形成する事を課題解消のための手段とする
【考案の効果】
【０００６】魔法瓶直結の器具を使用しているので常に保温が保たれ手軽にキッチン、床下の汚れなど家庭の主婦がかかえている大きな問題解消につながる。
【考案の実地の形態】
【０００７】本考案熱湯スプレー容器は魔法瓶本体Ａとこの容器本体Ａ内の熱湯をポンプ装置Ｃを介して吸引する吸引用パイプＢと，この吸引用パイプから送出される熱湯を噴射するノズル
Ｄから噴射するタイプのポンプ装置Ｄとを備える〔図１参照〕
図示例のポンプ装置Ｃは操作レバーＣ１を握るたびにノズルＤから噴射するパイプ装置Ｃを示しているが、このポンプ装置Ｃは従来から使用されてる他のポンプ装置、例えばあらかじめ圧力をかけてから使用するポンプ装置に変更する事が可能である。
【０００８】符号Ｅは魔法瓶本体の開口部？するパッキンであるこのパッキンＥは発泡スチロールやコルク等の断熱材で形成され吸引用パイプＢを挿通する挿通孔Ｅ１を開穿している。
そして魔法瓶本体の着脱と共に魔法瓶本体の開口部に着脱自在に嵌入するものである。
【図面の簡単な説明】
【図１】
【符号の説明】Ａ−魔法瓶本体  Ａ１−本体底部  Ａ３−本体開口部
Ａ４−連結用ネジ部  Ｂ−吸引パイプ  Ｃ−ポンプ装置  Ｃ１−操作レバー
Ｄ−ノズル  Ｅ−本体に嵌入する断熱性パッキン  Ｅ１−挿通孔
Ｆ−真空部  Ｇ−内容部  Ｈ−外容器
【考案の詳細な説明】
【０００９】本考案は主に家庭のお掃除や日常生活に於いて手軽に使用できる魔法瓶による熱湯スプレー
【技術分野】
【００１０】本考案は、主に家の中やお店で拭き掃除や除菌等に使用する熱湯〔保温できる〕スプレー容器に関する。
【考案が解決しようとする課題】
いかに魔法瓶と直結させ手軽で使用しやすい製品にするか家庭の主婦などが身近な生活に於いて苦労されているかを考えた時キッチンのベタベタ汚れ、冷蔵庫、レンジ、壁、床下、こびりついてとれにくい醤油漏れ、トイレ便器の汚れ落とし、ペット大小便の除菌等、多岐にわたり魔法瓶に直結した熱湯スプレーにより洗剤を使わず、電源いらずのエコ製品を目的とする。
【課題を解決するための手段】
【００１１】上述の目的を達成すべく本考案の手段は液体をいれる魔法瓶内の液体をポンプ装置Ｃを介して吸引する吸引用パイプＢとこの吸引用パイプＢから送出される液体を噴射するノズルＤを搭載した魔法瓶にする
【００１２】また第２の手段は前記吸引用パイプＢを挿通する挿通孔Ｅ１を有し魔法瓶本体のＡの開口部ＡＥに着脱自在に嵌入する断熱剤パッキンＥを設けた事にある。
【考案の効果】
本考案は上述の如く構成したことにより当初の目的を達成する。
【００１３】すなわち請求項１に記載の魔法瓶本体を使用して液体を保温することが可能になる。
この結果、魔法瓶本体に入れた湯など長時間保温使用できるので暖めた薬液、お湯を保存する事も出来る
【図１】
0003177847.tif 000003
【手続補正書】
【提出日】平成24年5月29日(2012.5.29)
【手続補正２】
【補正対象書類名】実用新案登録請求の範囲
【補正対象項目名】全文
【補正方法】変更
【補正の内容】
【実用新案登録請求の範囲】
【請求項１】
液体を入れる容器本体と、この容器本体内の液体をポンプ装置を介して吸引する吸引用パイプとこの吸引用パイプから送出される液体を噴射するノズルを備えたスプレー容器において容器本体の底部及び側壁に真空層を有する二重構造にしたことを特徴とする熱湯保温スプレー容器。
【請求項２】
前記吸引用パイプを挿通する挿通孔を有し、容器本体の開口部に着脱自在に嵌入する断熱性のパッキンを設けた請求項１記載の熱湯保温スプレー容器。
【請求項３】
前記容器本体はステンレス、又は硝子で形成された請求項１又は２記載の熱湯保温スプレー容器。
【手続補正３】
【補正対象書類名】明細書
【補正対象項目名】全文
【補正方法】変更
【補正の内容】
【考案の詳細な説明】
【考案の概要】
【０００１】毎日主婦の手をわずらわすお掃除。特にキッチンや床、冷蔵庫等のベタベタ汚れは、水で拭いても中々とれず、仕方なく市販の洗剤を使用したり、またゴム手袋をはめて熱いお湯でふきんを絞り汚れを落としたり、時間や手間、お金のかかる大変な作業でした。
よく通販番組で見かける熱湯が出るスチームクリーナ噴射機は大掃除など年に１〜２度の利用にはとても良いと思いますが日々の使用を考えると、コンセントに差しこんだり、またコンセントがあるので移動も限界があり、使用が少し面倒です。
そこで、主婦にとっては、毎日かかせないこの作業を何とか簡単にしようと考案致しました。まずは、試しに普通の市販スプレーに熱湯を入れてみました。
すると熱いのでスプレーの形が変形してしまいました。なので熱湯を入れても容器が変形せず、その上保温が可能なスプレー〔魔法瓶の様に二重構造になっており内層と外層との間の空間が真空になっている容器本体にスプレーをつけたもの〕を製造すればきっと家事が相当ラクになり、また洗剤を使用しないので安心で経済的なエコ商品になると思いました。
この商品はコンセントが必要ないので車中等、どこにでも持ち運べて便利です。
冷蔵庫の中外は勿論の事、電子レンジの中、壁、トイレ、醤油入れ、炊飯器の拭き掃除や除菌にと洗剤も電源もいらずのエコ製品です。
小さなお子様のいるご家庭ではチョコレートや飴、ジュースなど子供の食べこぼしなど多く、すぐベタベタしたり、固まってしまいますが、その様な場合でもテーブルや床の拭き掃除にも重宝します。
又家庭内にとどまらずお好み焼き店やラーメン屋、中華料理店などベタツキの汚れが多いと思いますが、調理場、お客様のテーブルと多方面で手軽に便利に使用できると思います。
またスプレータイプの為、思った場所に的中出来る良さもあります。
冷蔵庫の細かい部分に噴射など出来てとても便利です。
【考案が解決しようとする課題】
【０００２】家庭の掃除、特にベタベタ汚れなど簡単な水拭きだけでは落ちなかった汚れが、熱いお湯でなら簡単にさっぱり取れる事が多い、しかし熱いお湯を汚れた場所にかけようとコップ等にお湯を入れて汚れの部分にかけようとしても、その場所に的中させるのが難しかった。又やけどしないよう、手にかからないようにするのは困難でした。
しかし今回考案した熱湯保温スプレーでは、思い通りの場所に的中して熱湯がかけられるので家事が数段にラクになります。
簡単な除菌にもなります。
魔法瓶本体の様に二重構造になっており、内層と外層との間の空間が真空になっている容器を利用したスプレーの為、保温が可能なので車内やキャンプ、野外など移動して使用できる。
また通販でのスチームクリーナ噴射機と違い電源もなく手軽に使用できる。【０００３】本考案は上述の目的を達成すべく考案されたもので、スプレー容器を搭載した魔法瓶本体の様に二重構造になっており、内層と外層との間の空間が真空になっている容器で保温が可能になる熱湯保温スプレー容器の提供を目的とする。
【課題を解決するための手段】
【０００４】上述の目的を達成すべく本考案の第１の手段はお湯を入れる容器本体Ａとこの容器本体Ａのお湯をポンプ装置Ｃを介して吸引する吸引用パイプＢとこのパイプＢから送出されるお湯を噴射するノズルＤを備えた熱湯保温スプレー容器である。熱湯保温スプレー本体は魔法瓶の様に二重構造になっており、内層と外層との間の空間が真空になっている。【０００５】また第２の手段は前記吸引用パイプをＢに挿通する挿通孔Ｅ１を有し、容器本体Ａの開口部Ｅに着脱自在に嵌入する断熱性のパッキンＥを設けたことにある。【０００６】更に第３の手段の容器本体Ａの材質はステンレス又は硝子で形成する事を課題解消のための手段とする。
【考案の効果】
【０００７】保温可能な容器を使用しているので常に保温が保たれ手軽にキッチン、床下の汚れなど家庭の主婦がかかえている大きな問題解消につながる。
【考案の実地の形態】
【０００８】本考案熱湯保温スプレー容器は容器本体Ａとこの容器本体Ａ内の熱湯をポンプ装置Ｃを介して吸引する吸引用パイプＢと，この吸引用パイプから送出される熱湯を噴射するノズルＤから噴射するタイプのポンプ装置Ｄとを備える〔図１参照〕
図示例のポンプ装置Ｃは操作レバーＣ１を握るたびにノズルＤから噴射するパイプ装置Ｃを示しているが、このポンプ装置Ｃは従来から使用されてる他のポンプ装置、例えばあらかじめ圧力をかけてから使用するポンプ装置に変更する事が可能である。
【０００９】符号Ｅは容器本体Ａの開口部Ａ３に嵌入するパッキンであるこのパッキンＥは発泡スチロールやコルク等の断熱材で形成され吸引用パイプＢを挿通する挿通孔Ｅ１を開穿している。
そして容器本体Ａの着脱と共に容器本体の開口部Ａ３に着脱自在に嵌入するものである。
【考案の詳細な説明】
【００１０】本考案は主に家庭のお掃除や日常生活に於いて手軽に使用できる熱湯保温スプレー容器〔魔法瓶本体の様に二重構造になっており、内層と外層との間の空間が真空になっている〕保温可能な容器による熱湯保温スプレー
【技術分野】
【００１１】本考案は、主に家の中やお店で拭き掃除や除菌等に使用する熱湯保温スプレー容器に関する。
【考案が解決しようとする課題】
家庭の主婦などが生活に於いて苦労されている掃除を手軽に出来る様に考えた時、キッチンのベタベタ汚れ、冷蔵庫の内外、レンジ、壁、床、こびりついてとれにくい醤油漏れ、トイレ便器の汚れ落とし、ペット大小便の除菌等、熱湯でぞうきんを絞り清掃する事が多いと思います。
しかし、熱いお湯に手を入れてぞうきんを絞るのはビニール手袋をしても、熱く、また熱湯をコップに入れて汚れ部分にかけても、汚れに的中せず、うまく熱湯がかかりませんでした。
そこで熱湯保温容器とスプレー容器を合体させ、汚れ部分に熱湯を的中させる容器があれば、どんなに掃除がラクになるのだろうと考案しました。
考案することにより、熱湯を思った場所にかける事が出来、そのため今まで大変だったベタベタ汚れなど、手軽に掃除できると思います。
又、洗剤を使用しないので電源いらずのエコ製品を目的としています。
【課題を解決するための手段】
【００１２】上述の目的を達成すべく本考案の手段は液体をいれる容器本体Ａ内の液体をポンプ装置Ｃを介して吸引する吸引用パイプＢとこの吸引用パイプＢから送出される液体を噴射するノズルＤを搭載した容器本体Ａにする。
【００１３】また第２の手段は前記吸引用パイプＢを挿通する挿通孔Ｅ１を有し容器本体Ａの開口部ＡＥに着脱自在に嵌入する断熱剤パッキンＥを設けた事にある。
【考案の効果】
本考案は上述の如く構成したことにより当初の目的を達成する。
【００１４】すなわち請求項１に記載の熱湯保温スプレー容器本体を使用して液体を保温することが可能になる。この結果、熱湯容器本体に入れた湯など長時間保温使用できるので暖めた薬液、お湯を保存する事も出来る。
【図面の簡単な説明】
【００１５】
【図１】本考案の熱湯保温スプレーの図である
【符号の説明】
【００１６】Ａ−魔法瓶本体  Ａ１−本体底部  Ａ３−本体開口部
Ａ４−連結用ネジ部  Ｂ−吸引パイプ  Ｃ−ポンプ装置
Ｃ１−操作レバー  Ｄ−ノズル  Ｅ−本体に嵌入する断熱性パッキン
Ｅ１−挿通孔
Ｆ−真空部  Ｇ−内容部  Ｈ−外容器